(57)【特許請求の範囲】
【請求項１】
建物とその地下室を構成する杭と梁の施工方法において、杭を地中に打ち込む際に、杭上部を地下室の上梁鉄筋に組み込まれる高さになるように地中に打ち込むと共に、打ち込まれた杭の外側外周に、地下室の上梁の下部まで掘削するため、キーストンプレートを用いた簡易山留を上梁鉄筋の深さに応じて地中に打ち込み、つづいて、簡易山留の内部の地表を杭上部まで掘削し、さらに、杭の内側内周にデッキプレートを用いた軽量山留鋼材を地下室のコンクリート躯体が構築できる深さまで地中に打ち込み、その軽量山留鋼材の内部の地面を地下室を構成する底部まで掘削した後、地下室の底部に砕石を敷き詰めてから点圧をして捨てコンクリートを打ち込み、さらに、地下室の壁と床と梁を構成する鉄筋を配筋するにあたり、地下室の上梁を構成するための上梁鉄筋を、上梁の室内面と壁の室内面とが段差のない同一面状になるように構成すると共に、地下室の上梁の強度を確保する為に、地下室の上梁の断面形状を幅を狭く縦長に構成し、杭上部を上梁鉄筋内部に組み込み、杭上部と上梁鉄筋を溶接して杭と上梁が一体となるように構築し、さらに建物の柱を構成する０柱を上梁鉄筋に埋め込み、０柱下部を上梁鉄筋の下面より少し上部で上梁鉄筋と溶接により固定して一体とし、建物の荷重を地下室の上梁に組み込んだ杭で支えた事により、地下室の下梁を無くしたことを特徴とする地下室の施工方法。
【発明の詳細な説明】
【技術分野】
【０００１】  この発明は、建物を構成する地下室の杭と梁の施工方法に関するものである。
【背景技術】
【０００２】  従来、この種の地下室の杭と梁の構造に関しては、図１に示すように、まず最初に建物の杭２を打ち込み、つづいてその外側外周に山留１を設けると共に、山留内部の地表を地下室を構成する底部まで掘削した後、地下室の底部に砕石４を敷き詰めてから点圧をして生コンクリートを打ち込み、さらに配筋の後、耐圧盤６と下梁３を構築すると共に、さらに壁７と上梁８と天井部分９に配筋の後、仮枠を構成し、その仮枠に生コンクリートを打込む事により地下室の躯体が構築されている。
【発明の開示】
【発明が解決しようとする課題】
【０００３】  しかしながら、このような従来の建物の構造体においては、地下室の上部と下部に、上梁８と下梁３を構築しているため、工期が長くかかると共に多額の費用が必要であった。【０００４】  また、基礎の上梁８が地下室内に張り出すため、地下室の室内空間に圧迫感が生じると共に、階段等の配置にデッドスペースが生じていた。【０００５】  その上、地下室の下梁３と耐圧盤６をコンクリートで構築した後、日数をおいて地下室の壁７、上梁８、天井９にコンクリートで躯体を構築するため、耐圧盤６と壁７との間の打ち継ぎ面から地下室に地下水が浸入すると云うような問題が発生していた。【０００６】  そこで、この発明は、地下室を構築するにあたり、従来からの、杭２と上梁８と下梁３との施工方法を見直し、地下室内への上梁８の出っ張りを無くして、圧迫感のない室内空間を作ると共に、床面、壁面、上梁面、天井面を構築するための鉄筋コンクリートの仮枠を一体で構成し、地下室構造体をコンクリートの継目が無い、一体構造にした事で地下室への漏水を防止し、工期を短縮させると共に、コストを大幅に低減できる、地下室の杭と梁の施工方法を提供することを課題としている。
【課題を解決するための手段】
【０００７】  かかる課題を達成するために、請求項１に記載の発明は、建物とその地下室を構成する杭と梁の施工方法において、杭を地中に打ち込む際に、杭上部を地下室の上梁鉄筋に組み込まれる高さになるように地中に打ち込むと共に、打ち込まれた杭の外側外周に、地下室の上梁の下部まで掘削するため、キーストンプレートを用いた簡易山留を上梁鉄筋の深さに応じて地中に打ち込み、つづいて、簡易山留の内部の地表を杭上部まで掘削し、さらに、杭の内側内周にデッキプレートを用いた軽量山留鋼材を地下室のコンクリート躯体が構築できる深さまで地中に打ち込み、その軽量山留鋼材の内部の地面を地下室を構成する底部まで掘削した後、地下室の底部に砕石を敷き詰めてから点圧をして捨てコンクリートを打ち込み、さらに、地下室の壁と床と梁を構成する鉄筋を配筋するにあたり、地下室の上梁を構成するための上梁鉄筋を、上梁の室内面と壁の室内面とが段差のない同一面状になるように構成すると共に、地下室の上梁の強度を確保する為に、地下室の上梁の断面形状を幅を狭く縦長に構成し、杭上部を上梁鉄筋内部に組み込み、杭上部と上梁鉄筋を溶接して杭と上梁が一体となるように構築し、さらに建物の柱を構成する０柱を上梁鉄筋に埋め込み、０柱下部を上梁鉄筋の下面より少し上部で上梁鉄筋と溶接により固定して一体とし、建物の荷重を地下室の上梁に組み込んだ杭で支えた事により、地下室の下梁を無くしたことを特徴とする。
【発明の効果】
【００１１】  請求項１に記載の発明によれば、杭を地下室の上梁鉄筋が構成される下部まで打込むと共に、その杭の上部に、上梁鉄筋に杭が組み込まれるように上梁を構築し、地下室の下梁を無くしたことにより、従来のような、高価なベースパックが不要になると共に、下梁を無くしたことにより、工期の短縮につながると共に、大幅にコストの低減を図ることができる。
【実施例】
【００１５】  以下、この発明の実施の形態について説明する。【００１６】  図２及至図１２には、この発明の実施の形態を示す。【００１７】  図２は地面に打ち込まれた杭２の断面図である。杭２の杭上部１１が上梁鉄筋２７に組み込まれる高さになるように打ち込まれる。【００１８】  図３は杭２と簡易山留２１の断面図である。図２のように打ち込まれた杭２の外側外周に、キーストンプレート等の簡易山留２１が上梁鉄筋２７の深さに応じて地中に打ち込まれる。【００１９】  図４は杭２と簡易山留２１と軽量山留鋼材２３の断面図である。図３のように打ち込まれた簡易山留２１内部の地表面１０を、土間２２まで掘削して、杭２の内側内周にデッキプレート等の軽量山留鋼材２３を地下室のコンクリート躯体が構築できる深さまで地中に打ち込む。【００２０】  図５は図４の斜視図である。地表面１０と簡易山留２１と杭上部１１と軽量山留鋼材２３との関係を斜視図により理解しやすく示す。【００２１】  図６は地下室の掘削完了後の断面図である。図４のように構築された土間２２を地下室の躯体が構築される深さまで掘削して、そこに砕石４を挽きつめ点圧した後、捨てコンクリート５が打ち込まれる。【００２２】  図７は図６の斜視図である。地表面１０と簡易山留２１と軽量山留鋼材２３と捨てコンクリート５の関係を斜視図により理解しやすく示す。【００２３】  図８は天井鉄筋２６、壁鉄筋１５、床鉄筋１６、上梁鉄筋２７、仮枠２５が構築された状態の断面図である。床仮枠１４と壁仮枠１３と天井仮枠１２が一体で構成され、その仮枠に天井鉄筋２６、壁鉄筋１５、床鉄筋１６、上梁鉄筋２７が配筋される。上梁鉄筋２７は、地下室内への出っ張りを無くす為、上梁鉄筋２７と壁鉄筋１５が同一面上に一体に形成される、さらに梁の強度を確保する為に、上梁鉄筋２７を縦長に構成すると共に、幅を狭く構成して、上梁の室内面と、壁の室内面とが段差のない同一面状になるように構成される。なお、杭２の杭上部１１は上梁鉄筋２７内部に組み込まれ、上部鉄筋２７と溶接等により固定される。さらに、簡易山留２１と軽量山留鋼材２３は、躯体の外側仮枠も兼用している。【００２４】  図９は柱部分の断面図である。０柱２８が上梁鉄筋２７に埋め込まれ、その０柱下部４０が上梁鉄筋２７の下面より少し上部で上梁鉄筋２７と溶接等により固定される。さらに０柱２８上部にはベースプレート３０が取り付けられ、建物の０柱２８の位置決めを正確に行う為、そのベースプレート３０にＣ形鋼等の０柱固定部材２９を溶接等により取り付け、０柱２８同志を０柱固定部材２９で固定して位置決めをする。【００２５】  図１０は図９の斜視図である。上梁鉄筋２７と０柱２８とベースプレート３０と０柱固定部材２９との関係を斜視図により理解しやすく示す。【００２６】  図１１は地下室の躯体完成後の断面図である。図１に示したように、従来は壁７に対して上梁８が室内側に張り出ていたが、図１１に示すように、上梁４５と壁面４３が同一面で形成されるため、上梁８の室内側への出っ張りが無くなる。【００２７】  図１２は図１１の斜視図である。０柱２８、上梁４５、壁面コンクリート４３、床面コンクリート４４の関係を斜視図により理解しやすく示す。【００２���】  以上、実施の形態に基づいて、本発明に係る地下室の杭と梁の施工方法について詳細に説明してきたが、本発明は、以上の実施の形態に限定されるものではなく、発明の趣旨を逸脱しない範囲において各種の改変をなしても、本発明の技術的範囲に属するのはもちろんである。【００２９】  図８において、杭２が上梁鉄筋２７に組み込まれる状態を図示したが、杭２が上梁鉄筋２７に組み込まれる長さは、建物の構造や高さにより異なる。【００３０】  図９において、上梁鉄筋２７と０柱２８との関係を図示したが、０柱２８が上梁鉄筋２７に組み込まれる深さは建物の構造や高さにより異なる。また、０柱固定部材２９にはＣ形鋼が図示されているが、Ｃ形鋼にこだわらずＬアングル、角パイプ等の各種鋼材を使用しても良い。さらに、０柱固定部材２９とベースプレート３０との結合方法は現場での溶接が容易であるが、これにこだわらず、ボルト等を使用して固定することも可能である。
【図面の簡単な説明】
【００３１】
【図１】この発明の実施の形態に係る地下室の従来工法の断面図である。
【図２】同実施の形態に係る杭の断面図である。
【図３】同実施の形態に係る杭と簡易山留との関係を示す断面図である。
【図４】同実施の形態に係る杭と簡易山留と軽量山留鋼材との関係を示す断面図である。
【図５】同実施の形態に係る杭上部と簡易山留と軽量山留鋼材との関係を示す斜視図である。
【図６】同実施の形態に係る地下室の掘削完了後の断面図である。
【図７】同実施の形態に係る地下室の掘削完了後の斜視図である。
【図８】同実施の形態に係る地下室の杭と配筋と仮枠との関係を示す断面図である。
【図９】同実施の形態に係る地下室の杭と配筋と仮枠と０柱と０柱固定部材との関係を示す断面図である。
【図１０】同実施の形態に係る地下室の杭と配筋と仮枠と０柱と０柱固定部材との関係を示す斜視図である。
【図１１】同実施の形態に係る地下室の躯体完成後の断面図である。
【図１２】同実施の形態に係る地下室の躯体完成後の斜視図である。
【符号の説明】
【００３２】１                  山留
２                  杭
３                  下梁
４                  砕石
５                  捨てコンクリート
６                  耐圧盤
７                  壁
８                  上梁
９                  天井
１０                地表面
１１                杭上部
１２                天井仮枠
１３                壁仮枠
１４                床仮枠
１５                壁鉄筋
１６                床鉄筋
２１                簡易山留
２２                土間
２３                軽量山留鋼材
２４                捨てコンクリート
２５                仮枠
２６                天井鉄筋
２７                上梁鉄筋
２８                ０柱
２９                ０柱固定部材
３０                ベースプレート
４０                ０柱下部
４１                コンクリート
４２                天井面コンクリート
４３                壁面コンクリート
４４                床面コンクリート
４５                上梁
【図１】
0004915611.tif 000002
【図２】
0004915611.tif 000003
【図３】
0004915611.tif 000004
【図４】
0004915611.tif 000005
【図５】
0004915611.tif 000006
【図６】
0004915611.tif 000007
【図７】
0004915611.tif 000008
【図８】
0004915611.tif 000009
【図９】
0004915611.tif 000010
【図１０】
0004915611.tif 000011
【図１１】
0004915611.tif 000012
【図１２】
0004915611.tif 000013